(57)【要約】【課題】  取り外し時に缶口閉鎖具が飛んでいかず、缶口を傷つけにくく、かつ手で缶を下に強く押さえつける必要のない缶口閉鎖具用取り外し治具を提供する。【解決手段】  缶口閉鎖具の周壁部下端２０に係合可能な係合部１４を有する取り外し治具であって、第一柄１０と第二柄１１が軸着あるいは枢着されており、各柄の一方の先端側に備えられた把持部１２と、第一柄１０の他端に備えられた押支え部１３と、第二柄１１の他端が鉤形に下方に湾曲されて延設されたその先端を把持部１２側に向けている係合部１４と、を有する。缶口閉鎖具２の取り外しの際は、缶口閉鎖具２の周壁部下端２０で缶口閉鎖具２の中心軸に対して把持部１２と反対側の位置に係合部１４を係合させる。このとき第一柄１０と第二柄１１の少なくとも一方が缶口閉鎖具２の上方を通過するように位置し、押支え部１３が缶の縁３３もしくは缶の水平部３１に当接する。【選択図】図２
2020117306.tif 000002
【特許請求の範囲】
【請求項１】
缶口に装着された缶口閉鎖具の周壁部下端に係合可能な係合部を有する取り外し治具において、第一柄と第二柄が軸着あるいは枢着されており、前記第一柄と前記第二柄の一方の先端側にそれぞれ備えられた把持部と、前記第一柄の他方の先端に備えられた押支え部と、前記第二柄の他方の先端が鉤形に下方に湾曲されて延設されたその先端を前記把持部側に向けている前記係合部と、を有するとともに、缶口閉鎖具の取り外しに際しては、缶口閉鎖具の周壁部下端で缶口閉鎖具の中心軸に対して前記把持部と反対側の位置に前記係合部を係合させ、このとき前記第一柄と前記第二柄の少なくとも一方が缶口閉鎖具の上方を通過するように位置し、前記押支え部が缶の縁もしくは缶の水平部に当接することを特徴とする缶口閉鎖具用取り外し治具。
【請求項２】
請求項１に記載の缶口閉鎖具用取り外し治具において、前記第一柄に備えられた補助支え部を有するとともに、缶口閉鎖具の取り外しに際しては、前記係合部を缶口閉鎖具の周壁部下端に係合させたとき、前記補助支え部が缶の縁もしくは缶の水平部に当接することを特徴とする缶口閉鎖具用取り外し治具。
【発明の詳細な説明】
【技術分野】
【０００１】  本発明は、食品、塗料、化学品、燃料油などの運搬や保管に使われる缶の口元に装着される缶口閉鎖具用の取り外し治具に関するものである。
【背景技術】
【０００２】  缶の口元に装着される缶口閉鎖具の代表的なものとして、弾性鉤止片付キャップユニットがある。弾性鉤止片付キャップユニットには、弾性鉤止片付キャップの不時の開放を防ぐためや、不正開封防止のために上壁と側壁を有する輪状の金属製の封緘部材を装着してなるものがあり、封緘部材が装着されていない弾性鉤止片付キャップユニットでも、缶口に嵌めた後に、封緘部材単体を後から被せて使用するケースがほとんどである。【０００３】  本明細書で記載する、封緘部材付きの弾性鉤止片付キャップユニット、封緘部材が装着されていない弾性鉤止片付キャップユニット、封緘部材単体はすべて缶口閉鎖具である。【０００４】  缶口に嵌められた封緘部材付の弾性鉤止片付キャップユニットを取り外す方法の一つとして、マイナスドライバー等の治工具類を使い、てこの作用を利用して取り外す方法がある。この方法では、マイナスドライバー等の先端を封緘部材単体あるいは弾性鉤止片付キャップユニットの周壁部下端に引っ掛け、この部分を作用点、缶の縁に当接させた部分を支点、マイナスドライバー等の把持部を力点とするてこの作用を利用し、マイナスドライバー等の把持部を押し下げることで封緘部材単体、あるいは封緘部材と弾性鉤止片付キャップユニットをまとめて持ち上げることで、取り外しを行っている。封緘部材単体を取り外した場合は、缶口に残った弾性鉤止片付キャップユニットの上壁を指で押すことで弾性鉤止片付キャップを開放し、缶口から取り外すことができる。【０００５】  しかし、この方法では、缶口閉鎖具に上向きの力が加わるので、取り外した缶口閉鎖具が上方に勢いよく飛んでしまい、それがぶつかることによる怪我の危険や紛失の危険がある。また、缶口閉鎖具の取り外し時のマイナスドライバー等の回動方向は、その先端が上向きに移動する方向であるので、その先端が缶口閉鎖具の周壁部下端に十分に引っ掛からないまま回動させると、滑った拍子に、上向きになった先端が缶を押さえていた手や、上方にある顔などを傷付ける危険性があった。さらには、図６に示すようにマイナスドライバー等の先端の回動軌跡Ｑの膨らみが缶口をえぐるような膨らみになっているため、マイナスドライバー等の先端の回動軌跡Ｑ上に缶口が深く干渉して缶口を傷つけてしまうという問題もあった。【０００６】  他に考えられる方法としては、実開昭５０−９５３７４に開示されたようなビンの口元に嵌着された王冠を開栓するための栓抜き状のものを使用する方法がある。この場合は、栓抜きの開口部に形成された係合爪を封緘部材単体あるいは弾性鉤止片付キャップユニットの周壁部下端に引っ掛け、この部分を作用点、弾性鉤止片付キャップユニットの天面に当接させた部分を支点、栓抜きの把持部を力点とするてこの作用を使用することで取り外しを行うことが想定される。【０００７】  しかし、この方法を採用しようとすると、栓抜きはほぼ平坦な形状をしているので、把持部が缶にぶつかり缶口閉鎖具の周壁部下端に係合爪を引っ掛けること自体ができなかった。【０００８】  これらの問題を解決するために、特願２０１８−１１７４２１に記載されているように、缶の水平部に当接させるための押支え部が先端に備えられた柄で、この柄が途中か���下方に枝分かれしてその先端に缶口閉鎖具の周壁部下端に係合可能な係合部を有する缶口閉鎖具用取り外し治具が提案されている。この取り外し治具では、係合部を缶口閉鎖具の周壁部下端に引っ掛け、押支え部を缶の水平部に当接させた状態で柄の後端側を上に引き上げる方向に回動させると、てこの作用により缶口閉鎖具を持ち上げ缶口から取り外すことができる。柄の先端側が缶口閉鎖具上方に通過するようになっているため、これがカバーの役割を担い、缶口閉鎖具が勢いよく取り外されたとしても、缶口閉鎖具が飛んでいってしまうことがない。また、取り外しの際の回動方向とは逆側に、係合部が柄についているので、係合部が缶を押さえていた手などにぶつかりにくく、万が一取り外し操作中に滑ったとしても、怪我をしにくくなるといった利点もある。
【先行技術文献】
【特許文献】
【０００９】
【特許文献１】実開昭５０−９５３７４公報
【特許文献２】特願２０１８−１１７４２１
【発明の概要】
【発明が解決しようとする課題】
【００１０】  しかし、特願２０１８−１１７４２１で提案されたような缶口閉鎖具用取り外し治具では、缶口閉鎖具の周壁部下端に係合部を引っ掛けて取り外そうとした際に、図７に示すように、係合部の回動の中心（支点Ｓ）に対して上向き（図７では反時計回り）のモーメントばかりが生じるので、４Ｌ缶等の重量が軽い缶であったり、あるいは重い缶であっても缶口閉鎖具の締め付けが強かったりして、係合部にかかる力が缶口閉鎖具の取り外しに必要な力を下回ると、缶口閉鎖具が取り外される前に缶が持ち上げられてしまう。最悪の場合は缶が倒れてしまうおそれがあった。そのため、取り外し操作中は缶が持ち上がらないように手で下に強く押さえつけながら缶口閉鎖具用取り外し治具を操作する必要があり、使いづらいという問題があった。【００１１】  したがって、本発明の目的は、取り外し時に缶口閉鎖具が飛んでいかず、缶口を傷つけにくく、尚且つ、手で缶を下に強く押さえつける必要のない缶口閉鎖具用取り外し治具を提供することにある。
【課題を解決するための手段】
【００１２】  前記目的を達成するために、本発明に係る缶口閉鎖具用取り外し治具は、下記の特徴を有する。缶口に装着された缶口閉鎖具の周壁部下端に係合可能な係合部を有する取り外し治具であって、第一柄と第二柄が軸着あるいは枢着されている構造になっている。この缶口閉鎖具用取り外し治具は、第一柄と第二柄の一方の先端側にそれぞれ備えられた把持部と、第一柄の他方の先端に備えられた押支え部と、第二柄の他方の先端が鉤形に下方に湾曲されて延設されたその先端を把持部側に向けている係合部と、を有する。缶口閉鎖具の取り外しに際しては、缶口閉鎖具の周壁部下端で缶口閉鎖具の中心軸に対して把持部と反対側の位置に係合部を係合させる。このとき第一柄と第二柄の少なくとも一方が缶口閉鎖具の上方を通過するように位置し、押支え部が缶の縁もしくは缶の水平部に当接する。【００１３】  このようにしたため、本発明に係る缶口閉鎖具用取り外し治具は、缶口閉鎖具の周壁部下端の、缶口閉鎖具の中心軸に対して把持部と反対側の位置に係合部を引っ掛け、押支え部を缶の縁もしくは缶の水平部に当接させた状態で第一柄と第二柄の把持部を握りこむと、第一柄と第二柄が交差する支点を中心に係合部が回動し、把持部を握りこんだ部分を力点、第一柄と第二柄が交差する部分を支点、係合部を缶口閉鎖具の周壁部下端に引っ掛けた部分を作用点とするてこの作用により、缶口閉鎖具を持ち上げ缶口から取り外すことができる。【００１４】  また、缶口閉鎖具の取り外しの際、第一柄と第二柄の少なくとも一方が缶口閉鎖具の上方を通過するように位置させたため、これがカバーの役割を担い、缶口閉鎖具が勢いよく取り外されたとしても、缶口閉鎖具が飛んでいってしまうことがなくなる。第二柄１１に係合部が付いている方向は、缶口閉鎖具２の取り外しの際の回動方向とは逆向きであるため、係合部１４が缶３を押さえている手などにぶつかりにくく、万が一取り外し操作中に滑ったとしても怪我をしにくくなる。【００１５】  さらに、係合部の位置に対して、支点（第一柄と第二柄が交差する部分）と缶口閉鎖具が同じ側に位置しているので、係合部先端の回動軌跡の膨らみが、マイナスドライバー等を使用した方法でのマイナスドライバー等の先端の回動軌跡の膨らみと逆になり、係合部先端の回動軌跡が缶口に干渉しづらくなり、缶口を傷つけにくくなる。【００１６】  本発明に係る缶口閉鎖具用取り外し治具では、缶口閉鎖具の取り外しの際、把持部を握りこむことで係合部の回動の中心（第一柄と第二柄が交差する部分）に対して反時計回りと時計回りの両方のモーメントが生じる。缶には押支え部に当接させた部分に下向きの荷重がかかり、缶口閉鎖具の周壁部下端には係合部を引っ掛けた部分に上向きの荷重がかかるので、これらの荷重がある程度相殺されることで、缶口閉鎖具の取り外しの際に缶が持ち上がりにくく、手で缶を強い力で下に押さえつけながら操作する必要がなくなる。４Ｌ缶等の重量が軽い缶である場合には、缶の重力よりも缶口閉鎖具の取り外しに必要な上向きの荷重が大きくなることがあるが、本発明に係る缶口閉鎖具用取り外し治具では、缶口閉鎖具の取り外しの際に缶を下に押さえつける下向きの荷重も同時にかかるので、缶が持ち上がり��くくなる。また、缶口閉鎖具の締め付けが強い場合には、缶口閉鎖具の取り外しに必要な上向きの荷重が大きくなるが、それと同時に缶を下に押さえつける下向きの荷重も大きくなるため、缶が持ち上がりにくくなる。【００１７】  栓抜きで王冠を開栓する際は、下向きの荷重がかかる支点が王冠（取り外されるもの）天面に位置するので、王冠を変形させながら取り外すことになるが、本発明に係る缶口閉鎖具用取り外し治具で缶口閉鎖具を取り外す際は、下向きの荷重は缶の、押支え部を当接させた部分にかかるので、缶口閉鎖具を変形させない。そのため、缶口閉鎖具を再度缶口に嵌め直すこともできる。【００１８】  好ましくは、第一柄に備えられた補助支え部を有し、缶口閉鎖具の取り外しに際しては、係合部を缶口閉鎖具の周壁部下端に引っ掛けたとき、この補助支え部が缶の縁もしくは缶の水平部に当接する。【００１９】  押支え部と係合部で、第一柄と第二柄が交差する部分からの距離を比較して、押支え部の方が距離が大きい場合、缶口閉鎖具の取り外しの際に把持部を握りこむと、押支え部が缶を下に押えつける力は、係合部が缶口閉鎖具を上に押し上げる力よりも小さくなる。モーメントの和を考えると、第一柄と第二柄が交差する部分に対して把持部側の柄が下に回る向きの回転がかかるので、補助支え部を設けていない場合は、缶口閉鎖具の取り外しの際に、缶口閉鎖具用取り外し治具が回転してしまう可能性もある。【００２０】  そこで第一柄に補助支え部を設けることで、缶口閉鎖具の取り外しの際に、第一柄と第二柄が交差する部分に対して把持部側の柄が下に回る向きの回転力がかかったとしても、この補助支え部が缶の縁もしくは缶の水平部に当接することで、回転しなくなる。この場合、押支え部が缶を下に押さえつける荷重と、補助支え部が缶の縁もしくは缶の水平部を下に押す荷重の和が、係合部が缶口閉鎖具を上に押し上げる荷重となる。
【発明の効果】
【００２１】  以上のように本発明によれば、取り外し時に缶口閉鎖具が飛んでいかず、缶口を傷つけにくく、尚且つ、手で缶を下に強く押さえつける必要のない缶口閉鎖具用取り外し治具を提供することができる。
【図面の簡単な説明】
【００２２】
【図１】  本発明に係る缶口閉鎖具用取り外し治具の斜視図である。（第１実施形態）
【図２】  図１の取り外し治具を缶口閉鎖具に引っ掛けた状態を示す斜視図である。（第１実施形態）
【図３】  図２の工程の後、缶口閉鎖具を取り外した状態を示す斜視図である。（第１実施形態）
【図４】  図１の取り外し治具を缶口閉鎖具に引っ掛けた状態を示す側面断面図である。（第１実施形態）
【図５】  本発明に係る缶口閉鎖具用取り外し治具の斜視図である。（第２実施形態）
【図６】  マイナスドライバー等を缶口閉鎖具に引っ掛けた回動始めの状態を示す側面断面図である。（従来方法）
【図７】  従来の缶口閉鎖具用取り外し治具を缶口閉鎖具に引っ掛けた回動始めの状態を示す側面図である。（従来方法）
【発明を実施するための形態】
【００２３】  以下、本発明に係る第１実施形態について、図１、図２、図３、図４を用いて説明する。はじめに、第１実施形態における缶口閉鎖具用取り外し治具の構成について図１、図２、図３、図４を用いて説明する。
【００２４】  第１実施形態における缶口閉鎖具用取り外し治具１は、第一柄１０、第二柄１１、押支え部１３、係合部１４、把持部１２および補助支え部１５を備える。
【００２５】  第一柄１０は２本の長い金属製角材を含む枠組みがベースになっており、この一方の先端に位置する角材には、枠組みの下面に押支え部１３が取り付けられている。もう一方の側は一段高さを下げてあり、その先には枠組みの長手方向に延びるように把持部１２が備え付けられている。第一柄１０には、押支え部１３が取り付けられた面と同じ側に出っ張るように補助支え部１５が取り付けられている。枠組みの２本の長い角材を繋ぐように垂直に１本のピンが通してあり、このピンによって第二柄１１と回転可能に軸着されている。
【００２６】  第二柄１１は１本の金属製角材がベースになっており、長手方向に延びるように金属製丸棒材の把持部１２が備えつけられている。その反対側の先端には、下方向に部品が取り付けられており、その先端には把持部１２の方向に延びる細い係合部１４が延設されている。第二柄１１と係合部１４を有する部品を一体ものとしてみれば、第二柄の先端が鉤形に湾曲され、その先端に把持部１２の方向に延びる係合部１４が延設されている形となる。
【００２７】  缶口閉鎖具２の取り外しの際には、第一柄１０と第二柄１１の把持部１２を握りこむことで、軸着部１６を中心に係合部１４が上方向に回動される。缶口閉鎖具２の取り外しの際には、第一柄１０と第二柄１１の一部が常に缶口閉鎖具２の上方を通過するように位置しているので、これらが缶口閉鎖具２の飛び出し防止カバーの役割も担う。軸着部１６から係合部１４までの距離は、缶口閉鎖具の周壁部下端２０に係合部１４を引っ掛けた後、把持部１２を握りこみ係合部１４を回動させ始めてから缶口閉鎖具２が取り外されるまで、係合部１４が缶口閉鎖具の周壁部下端２０に引っ掛かり続けるように設定されている。
【００２８】  押支え部１３は缶を傷つけないようウレタンの丸棒材でできており、缶口閉鎖具２の取り外しの際に丸棒の面が缶の縁３３もしくは缶の水平部３１（図２、図３、図４では缶の水平部３１）に当接されるようになっている。
【００２９】  補助支え部１５は缶を傷つけないようウレタン材でできており、缶口閉鎖具２の取り外しの際に缶の縁３３もしくは缶の水平部３１（図２、図３、図４では缶の縁３３）に当接されるようになっている。補助支え部１５は第一柄１０にぶら下がるように引っ掛けられている。これにより、補助支え部１５の位置を第一柄１０の枠組みの長手方向にスライド調整できるようになっており、様々な種類の缶や缶口閉鎖具に対応できるようになっている。
【００３０】  第１実施形態では軸着部１６から押支え部１３までの距離は、軸着部１６から係合部１４までの距離と比較して大きいので、缶口閉鎖具２の取り外しの際に把持部１２を握りこむと、押支え部１３が缶の水平部３１を下に押さえつける力（図４のＦａ）は、係合部１４が缶口閉鎖具２を上に押し上げる力（図４のＦｂ）よりも小さくなる。モーメントの和を考えると、図４では時計回りのモーメント力が生じるが、補助支え部１５を設けたことで、缶口閉鎖具用取り外し治具１は缶の縁３３にぶつかり、回転が防止される。この場合、押支え部１３が缶の水平部３１を下に押さえつける荷重（図４のＦａ）と、補助支え部１５が缶の縁３３を下に押す荷重（図４のＦｃ）の和が、係合部１４が缶口閉鎖具２を上に押し上げる荷重（図４のＦｂ）となる。
【００３１】  以下、本発明による缶口閉鎖具用取り外し治具により、缶口閉鎖具を取り外す手順について、第１実施形態を例に図２、図３および図４を用いて説明する。まず、把持部１２を持ち、押し支え部１３を缶の水平部３１に当接させ、かつ補助支え部１５を缶の縁３３に当接させた状態で、係合部１４を缶口閉鎖具の周壁部下端２０に引っ掛ける（図２参照）。次に第一柄１０と第二柄１１の把持部１２を閉じるように握りこむ。すると、第一柄１０と第二柄１１の交差する部分を中心にした二つのてこの作用が働く（図４参照）。一つ目は、第二柄１１の把持部１２を掴んだ部分を力点、第一柄１０と第二柄１１の交差する部分を支点Ｓ、係合部１４を缶口閉鎖具の周壁部下端２０に引っ掛けた部分を作用点Ａ１とするてこの作用で、缶口閉鎖具の周壁部下端２０に位置する作用点Ａ１には上向き（図４では時計回り）の力がかかり、これにより缶口閉鎖具２が持ち上げられ、缶口３０から取り外される。二つ目は、第一柄１０の把持部１２を掴んだ部分を力点、第一柄１０と第二柄１１の交差する部分を支点Ｓ、押支え部１３を缶の水平部３１に当接させた部分を作用点Ａ２とするてこの作用で、缶の水平部３１に位置する作用点Ａ２には下向き（図４では反時計周り）の力がかかる。これにより第一柄１０と第二柄１１の交差する部分に対して、反時計回りと時計回りの両方のモーメントがかかり、上向きの荷重と下向きの荷重がある程度相殺されるので、缶口閉鎖具２の取り外しの際に缶３が持ち上がりにくくなり、手で缶３を強い力で下に押さえつけながら操作する必要がなくなる。
【００３２】  缶口閉鎖具２の取り外しの際の回動方向は、第二柄の係合部が付いている方向とは逆向きであるため、係合部１４が缶３を押さえている手などにぶつかりにくく、万が一取り外し操作中に滑ったとしても怪我をしにくくなる。
【００３３】  図４に示した第１実施形態における缶口閉鎖具用取り外し治具１を用いた方法での回動始めの状態を、図６に示したマイナスドライバー等を用いた方法での回動始めの状態と比較すると、マイナスドライバー等を用いた方法では、支点Ｓと缶口３０の位置が作用点Ａ１に対して反対側に位置するのに対して、本発明に係る缶口閉鎖具用取り外し治具１を用いた方法では、支点Ｓと缶口３０の位置が作用点Ａ１に対して同じ側に位置している。これにより、係合部１４の先端の回動軌跡Ｑの膨らみが、マイナスドライバー等を使用した方法でのマイナスドライバー等の先端の回動軌跡Ｑとは逆の膨らみになっており、係合部１４の先端の回動軌跡Ｑが缶口３０に干渉しづらくなり、缶口３０を傷つけにくくなっている。
【００３４】  以上、本発明の第１実施形態について説明したが、本発明の適用範囲はこれに限られるものではない。
【００３５】  例えば、第１実施形態では第一柄１０の枠組みの２本の長い角材の間に第二柄１１を通す構造にしているが、図５に示した第２実施形態のように、１本の第一柄１０と１本の第二柄１１を枢着したハサミ構造にすることもできる。さらに、第二柄１１にスライド長孔１７を形成すれば、第一柄１０の枢着部１８をスライド移動調整自在に枢着して、係合部１４の先端から枢着部１８までの距離を調整することもできる。
【００３６】  係合部１４を缶口閉鎖具の周壁部下端２０に最初に引っ掛けた点と係合部１４の回動の中心を結ぶ線と、垂直線とがなす傾斜角度θが大きい程、係合部１４の回動途中での外側への移動量が小さくなり、缶口閉鎖具の周壁部下端２０への引っ掛かりがよくなる傾向にある（図４）。この傾斜角度θは係合部１４の回動半径を大きくすると大きくなるため、もし缶口閉鎖具の周壁部下端２０への引っ掛かりがよくない場合は、第２実施形態のように調整可能な構造にしておけば係合部１４から支点Ｓ（図５では枢着部１８）までの距離を変えて対応することができる。
【００３７】  他にも、図示はしていないが、第一柄１０にスライド長孔を設けて、係合部１４から枢着部１８までの距離を変えずに枢着部１８の位置を移動したり、スライド長孔ではなく複数の孔で調整可能にしたりと様々な方法が考えられるが、距離の調整をすること以外の機能は第１実施形態と同じである。第一柄１０と第二柄１１が、第一柄１０と第二柄１１が交差する点に対して互いに回転自在に取り付けられていれば問題はない。
【００３８】  また、第１実施形態と第２実施形態では第二柄１１は把持部１２側に向かって長手方向に一直線上に延びており、第一柄１０は第一柄１０と第二柄１１が交差する点より把持部１２側を下方に曲げて段差をつけているが、形状はこの限りではない。第一柄１０を長手方向に一直線上に延ばしたり、第二柄１１を曲げて段差をつける等してもよい。第一柄１０を下方に曲げる等して段差をつけている場合は、この段差の大きさによっては、缶口閉鎖具２の取り外しの際に下方に曲げた段差の下側が缶の縁３３にあたり、段差の下側を補助支え部１５として機能させることもできる。
【００３９】  把持部１２には第２実施形態のように指を通す孔を設けることもできる。把持部１２の開閉がスムーズにできれば形状は自由である。
【００４０】  第一柄１０、第二柄１１は金属製に限らず木材や樹脂等、想定される使用に耐え得る強度があれば、どの材質を選択してもよいし、第１実施形態では角材と丸棒を使用しているが、パイプ材等を選択してもよい。押支え部１３や補助支え部１５の材質もウレタンに限られるものではない。また、第１実施形態では、押支え部１３、補助支え部１５、把持部１２、係合部１４は別部材として取り付けられているが、これらは第２実施形態の押支え部１３、把持部１２、係合部１４のように第一柄１０や第二柄１１と一体成形しても問題はない。
【００４１】  押支え部１３の形状は、缶口閉鎖具２の取り外し操作中に支障がでなければどのような形状でもよいが、缶の水平部３１に当接させた部分が、面や線、あるいは複数個の点になるようにしておけば、支点が缶の縁に当接させた１点になるマイナスドライバー等を用いる方法（図６参照）よりも安定する。特願２０１８−１１７４２１では押支え部１３が回動の支点Ｓとなるので、回動前は缶の水平部３１に面で当接させていても、回動途中には線や点で当接することになっていたが、本発明に係る缶口閉鎖具用取り外し治具１では、押支え部１３は回動の中心ではないため、回動前に缶の水平部３１に面で当接していれば回動途中も面で当接し続け、より安定した取り外し操作が可能であり、缶に傷もつきにくい。
【００４２】  押支え部１３を当接させる缶の水平部３１と、係合部１４を引っ掛ける缶口閉鎖具の周壁部下端２０との高さ位置の差は、使用する缶３や缶口閉鎖具２によって異なる。図示はしていないが、必要な場合は、第一柄１０に押支え部１３をネジ止めしておき、このネジの回し量によって押支え部１３の出っ張り量を調整することで、缶の水平部３１から第一柄１０までの高さ距離を調整して、缶３や缶口閉鎖具２の違いに対応する方法をとることができる。缶の水平部３１から第一柄１０までの高さ距離の調整は、このネジによる調整方法に限られるものではない。
【００４３】  第１実施形態では、補助支え部１５がスライド調整可能な状態で第一柄１０に備え付けられているが、補助支え部１５の位置調整ができれば第１実施形態と同じ構造でなくともよい。また、位置調整の必要がなければ調整機能をつける必要はなく、決まった位置に固定していてもよい。補助支え部１５の形状や大きさ等は、缶口閉鎖具２の取り外しの際に、缶の縁３３に当接され、取り外し操作に支障をきたさなければ自由に選択してよい。また、補助支え部１５の高さを調節する機能をつけてもよい。
【００４４】  補助支え部１５がなくとも、缶口閉鎖具２の取り外しの際に把持部１２を上向き（図２だと反時計回り）に持ち上げながら操作をすれば、本発明に係る缶口閉鎖具用取り外し治具１は回転しなくなる。この場合は補助支え部１５はなくとも缶口閉鎖具２を取り外すことができる。しかし、把持部１２を上向きに持ち上げる分たけ缶を手で下に押さえる力を強くしなければならなくなったり、押支え部１３に過剰な負荷がかかったりするので、補助支え部１５は備え付けてある方が望ましい。
【００４５】  また、第１実施形態では軸着部１６から押支え部１３までの距離が、軸着部１６から係合部１４までの距離と比較して大きいが、もしこの距離の差がほとんどなければ、缶口閉鎖具用取り外し治具１が把持部１２が下向きに回転するような回転がかからないので、この場合は補助支え部１５を設けなくとも問題はない。
【００４６】  係合部１４の先端の形状は、第１実施形態の形状に限定されるものではなく、缶口閉鎖具２の取り外しの際に缶口閉鎖具の周壁部下端２０に係合部１４が引っ掛かり、取り外し操作に支障がなければ、どのような形状でもよい。
【００４７】  押支え部１３と補助支え部１５は缶の水平部３１もしくは缶の縁３３に当接させていればよいので、上記では押支え部１３を缶の水平部３１に、補助支え部１５を缶の縁３３に当接させて缶口閉鎖具２を取り外す方法を例として挙げたが、これに限定されるものではない。押支え部１３を缶の縁３３に当接させてもよいし、補助支え部１５を缶の水平部３１に当接させてもよい。
【００４８】  また、図２、図３、図４および図５は、缶口閉鎖具として、代表的な金属製の封緘部材付きの弾性鉤止片付キャップユニットを図示している。封緘部材単体を取り外すケースを例に図示したが、封緘部材を弾性鉤止片付キャップとまとめて取り外すことも可能である。弾性鉤止片付キャップユニット以外の缶口閉鎖具でも、係合部１４を引っ掛ける箇所があれば本発明に係る缶口閉鎖具用取り外し治具を適用することができる。また、缶には、缶口を取り付けた場所が一段低くなっているお椀絞り３２とよばれる部分があるものとないものがあるが、いずれの場合も本発明に係る缶口閉鎖具用取り外し治具を適用することができる。
【符号の説明】
【００４９】１      缶口閉鎖具用取り外し治具
１０    第一柄
１１    第二柄
１２    把持部
１３    押支え部
１４    係合部
１５    補助支え部
１６    軸着部
１７    スライド長孔
１８    枢着部
２      缶口閉鎖具
２０    缶口閉鎖具の周壁部下端
３      缶
３０    缶口
３１    缶の水平部
３２    缶のお椀絞り
３３    缶の縁
Ｓ      支点
Ａ１    作用点（係合部側）
Ａ２    作用点（押支え部側）
θ      傾斜角度
Ｑ      回動軌跡
【図１】
2020117306.tif 000003
【図２】
2020117306.tif 000004
【図３】
2020117306.tif 000005
【図４】
2020117306.tif 000006
【図５】
2020117306.tif 000007
【図６】
2020117306.tif 000008
【図７】
2020117306.tif 000009